(57)【要約】【課題】再生された画像を参照するのみで、画像の撮影場所や撮影日時を認識できるようにする。【解決手段】カメラ付き携帯電話１において画像データＳ０の取得時に、ＧＰＳ情報Ｇ０を取得し、ＧＰＳ情報Ｇ０と場所情報とを対応付けたデータベースＤＢ１を参照して、取得したＧＰＳ情報Ｇ０に基づいて撮影場所情報Ｐ０を取得する。撮影場所情報Ｐ０は撮影日時情報Ｔ０とともに画像データＳ０の処理済み画像データＳ１に付与されて画像サーバ３に送信され、カメラ付き携帯電話２等に送信されて表示される。カメラ付き携帯電話２の液晶モニタ２４には、撮影場所および撮影日時が付与された画像が表示される。【選択図】　　　　　図１
2004032373.tif 000002
【特許請求の範囲】
【請求項１】
画像データを再生する画像再生方法において、
前記画像データの撮影場所を表す撮影場所情報を取得し、
該撮影場所情報を前記画像データに付与して再生することを特徴とする画像再生方法。
【請求項２】
前記画像データがＧＰＳ情報が付与されてなるものであり、ＧＰＳ情報と場所情報とを対応付けたデータベースを参照して、前記画像データに付与されたＧＰＳ情報に対応する対応場所情報を前記撮影場所情報として取得することを特徴とする請求項１記載の画像再生方法。
【請求項３】
前記撮影場所情報は、前記撮影場所の地図を表す地図情報であることを特徴とする請求項１または２記載の画像再生方法。
【請求項４】
前記画像データの撮影日時を表す撮影日時情報をさらに取得し、
該撮影日時情報を前記画像データにさらに付与して再生することを特徴とする請求項１から３のいずれか１項記載の画像再生方法。
【請求項５】
画像データを再生する再生手段を備えた画像再生装置において、
前記画像データの撮影場所を表す撮影場所情報を取得する撮影場所情報取得手段をさらに備え、
前記再生手段は、前記撮影場所情報を前記画像データに付与して再生する手段であることを特徴とする画像再生装置。
【請求項６】
前記画像データがＧＰＳ情報が付与されてなるものである場合において、
ＧＰＳ情報と場所情報とを対応付けたデータベースを保管した保管手段をさらに備え、
前記撮影場所情報取得手段は、前記データベースを参照して、前記画像データに付与されたＧＰＳ情報に対応する対応場所情報を前記撮影場所情報として取得する手段であることを特徴とする請求項５記載の画像再生装置。
【請求項７】
前記撮影場所情報は、前記撮影場所の地図を表す地図情報であることを特徴とする請求項５または６記載の画像再生装置。
【請求項８】
前記撮影場所情報取得手段は、前記画像データの撮影日時を表す撮影日時情報をさらに取得する手段であり、
前記再生手段は、前記撮影日時情報を前記画像データにさらに付与して再生する手段であることを特徴とする請求項５から７のいずれか１項記載の画像再生装置。
【請求項９】
画像データを再生する画像再生方法をコンピュータに実行させるためのプログラムにおいて、
前記画像データの撮影場所を表す撮影場所情報を取得する手順と、
該撮影場所情報を前記画像データに付与して再生する手順とを有するプログラム。
【請求項１０】
前記画像データがＧＰＳ情報が付与されてなるものであり、
前記撮影場所情報を取得する手順は、ＧＰＳ情報と場所情報とを対応付けたデータベースを参照して、前記画像データに付与されたＧＰＳ情報に対応する対応場所情報を前記撮影場所情報として取得する手順である請求項９記載のプログラム。
【請求項１１】
前記撮影場所情報は、前記撮影場所の地図を表す地図情報である請求項９または１０記載のプログラム。
【請求項１２】
前記画像データの撮影日時を表す撮影日時情報を取得する手順をさらに有し、
前記撮影場所情報を取得する手順は、前記撮影日時情報を前記画像データにさらに付与して再生する手順である請求項９から１１のいずれか１項記載のプログラム。
【発明の詳細な説明】
【０００１】
【発明の属する技術分野】
本発明は、撮影や受信により取得された画像データを再生する画像再生方法および装置並びに画像再生方法をコンピュータに実行させるためのプログラムに関するものである。
【０００２】
【従来の技術】
携帯電話の普及には目覚ましいものがあるが、近年、撮影により画像データを取得する撮影手段を有するカメラ付き携帯電話が普及しつつある（例えば特開平６−２３３０２０号公報、同９−３２２１１４号公報、同１０−１５０５２３号公報、特開２０００−２５３２９０号公報等）。このようなカメラ付き携帯電話を用いることにより、撮影により取得した自分の好みの画像データを携帯電話の待ち受け画面に設定できる。また、撮影により取得した画像データを電子メールに添付して友人に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションを図るのに便利である。
【０００３】
また、カメラ付き携帯電話の機能が向上し、プリント出力を行うのに十分なサイズを有する画像データをカメラ付き携帯電話において取得することも可能となってきている。
【０００４】
一方、カメラ付き携帯電話において取得された画像データに対して、種々の画像処理を施して処理済み画像データを得たり、画像データをプリント出力したり、ネットワーク上にアップロードすることが行われている。これにより、ユーザは高画質の画像を取得したり、プリントを取得したり、ネットワーク上において画像を閲覧する等できるため、通信による画像データの利用形態の多様化を図ることができる。
【０００５】
このようなカメラ付き携帯電話において取得された画像データの利用は、画像データを撮像したカメラ付き携帯電話から、画像データの保管管理を行う画像サーバに画像データを送信し、画像サーバにおいて画像データの保管場所を表すＵＲＬを付与した電子メールを生成し、この電子メールを画像データの送信先の携帯電話、パソコンやＰＤＡ等の端末装置、プリント出力を行うラボ等に送信し、電子メールの送信を受けた携帯電話、端末装置またはラボ等からＵＲＬを参照して画像データをダウンロードすることにより行われている。
【０００６】
【発明が解決しようとする課題】
ところで、カメラ付き携帯電話は多種多様な場所において撮影を行うことができるが、後で画像データを再生したときに、それがどこで撮影されたものであるかが分からなくなってしまう場合がある。
【０００７】
ここで、例えば、特開平１０−２３３３９８５号公報に記載されているように、デジタルカメラとＧＰＳ（Ｇｌｏｂａｌ　Ｐｏｓｉｔｉｏｎｉｎｇ　Ｓｙｓｔｅｍ）装置を用いて、ＧＰＳ装置において取得された撮影場所を表す情報を画像データと関連付けて記憶し、電子地図を表示した際に、電子地図上の対応する場所に画像データにサムネイル画像を表示する方法が提案されている。また、ＧＰＳ装置に撮影場所や撮影日時の情報を記憶しておき、後で画像データを参照する際に記憶された撮影場所および撮影日時を同時に参照する方法も提案されている（特開２００１−９４９１６号公報）。
【０００８】
しかしながら、上記方法は、撮影場所や撮影日時が知りたい場合には、画像データとともに撮影場所や撮影日時を表す情報を参照する必要があるため、再生された画像を参照するのみでは、撮影場所や撮影日時を知ることができない。
【０００９】
本発明は上記事情に鑑みなされたものであり、再生された画像を参照するのみで、画像の撮影場所や撮影日時を認識できるようにすることを目的とする。
【００１０】
【課題を解決するための手段】
本発明による画像再生方法は、画像データを再生する画像再生方法において、
前記画像データの撮影場所を表す撮影場所情報を取得し、
該撮影場所情報を前記画像データに付与して再生することを特徴とするものである。
【００１１】
「再生」とは、液晶モニタやＣＲＴモニタ等への表示およびプリンタによるプリント出力を含む。
【００１２】
「付与」とは、再生がモニタへの表示である場合には、取得した撮影場所情報を再生される画像に含めて表示するあるいは画像に隣接させて表示する等、画像を見れば撮影場所を認識できるような態様にて付与することをいう。また、再生がプリント出力である場合には、取得した撮影場所情報を画像に含めることにより付与してもよく、プリントの裏や白縁部分に印字することにより取得した撮影場所情報を付与してもよい。
【００１３】
なお、本発明による画像再生方法においては、前記画像データにＧＰＳ情報が付与されてなるものであり、
ＧＰＳ情報と場所情報とを対応付けたデータベースを参照して、前記画像データに付与されたＧＰＳ情報に対応する対応場所情報を前記撮影場所情報として取得するようにしてもよい。
【００１４】
また、本発明による画像再生方法においては、前記撮影場所情報は、前記撮影場所の地図を表す地図情報であってもよい。
【００１５】
また、本発明による画像再生方法においては、前記画像データの撮影日時を表す撮影日時情報をさらに取得し、
該撮影日時情報を前記画像データにさらに付与して再生するようにしてもよい。
【００１６】
本発明による画像再生装置は、画像データを再生する再生手段を備えた画像再生装置において、
前記画像データの撮影場所を表す撮影場所情報を取得する撮影場所情報取得手段をさらに備え、
前記再生手段は、前記撮影場所情報を前記画像データに付与して再生する手段であることを特徴とするものである。
【００１７】
なお、本発明による画像再生装置においては、前記画像データがＧＰＳ情報が付与されてなるものである場合において、
ＧＰＳ情報と場所情報とを対応付けたデータベースを保管した保管手段をさらに備え、
前記撮影場所情報取得手段を、前記データベースを参照して、前記画像データに付与されたＧＰＳ情報に対応する対応場所情報を前記撮影場所情報として取得する手段としてもよい。
【００１８】
また、本発明による画像再生装置においては、前記撮影場所情報を、前記撮影場所の地図を表す地図情報としてもよい。
【００１９】
また、本発明による画像再生装置においては、前記撮影場所情報取得手段を、前記画像データの撮影日時を表す撮影日時情報をさらに取得する手段とし、
前記再生手段を、前記撮影日時情報を前記画像データにさらに付与して再生する手段としてもよい。
【００２０】
なお、本発明による画像再生方法をコンピュータに実行させるためのプログラムとして提供してもよい。
【００２１】
【発明の効果】
本発明によれば、画像データの撮影場所を表す撮影場所情報が取得され、撮影場所情報が画像データに付与されて再生される。このため、再生された画像を参照すれば画像データの撮影場所を直ちに認識することができる。
【００２２】
また、画像データにＧＰＳ情報が付与されている場合には、ＧＰＳ情報と場所情報とを対応付けたデータベースを参照してＧＰＳ情報に対応する場所情報を取得するようにすれば、撮影場所情報を簡易に取得することができる。
【００２３】
また、撮影場所情報を撮影場所の地図を表す地図情報とすることにより、撮影場所をより容易に認識できる。
【００２４】
さらに、画像データの撮影日時を表す時刻情報をさらに取得し、撮影日時情報を画像データにさらに付与して再生することにより、再生された画像を参照すれば、画像データの撮影場所とともに撮影日時を直ちに認識することができる。
【００２５】
【発明の実施の形態】
以下図面を参照して本発明の実施形態について説明する。図１は本発明の実施形態による画像再生装置を備えた画像処理システムの構成を示す概略ブロック図である。図１に示すように本実施形態による画像処理システムは、カメラ付き携帯電話１，２と、カメラ付き携帯電話１，２において取得された画像データＳ０を保管管理する画像サーバ３と、画像データＳ０をプリント出力するラボ４との間で、画像データＳ０や種々の情報のやり取りを携帯電話通信網５を介して行うものである。
【００２６】
カメラ付き携帯電話１は、撮影により画像データＳ０を取得するカメラ１１と、画像データＳ０や種々の情報の送受信を行う通信手段１２と、画像データＳ０に対して画像処理を施して処理済み画像データＳ１を得る画像処理手段１３と、画像や電話番号等種々の表示を行う液晶モニタ１４と、カメラ付き携帯電話１の動作を制御するコントローラ１５と、後述するように画像データＳ０の用途および／または画質に基づいて、画像データＳ０に対して画像処理を施す場所を決定して場所情報Ｂ０を生成する画像処理場所決定手段１６と、カメラ１１による撮影の操作、画像データＳ０の送信指示、画像データＳ０の用途および／または画質の入力、画像データＳ０または処理済み画像データＳ１の送信先、プリント出力を行うか否かの指定、画像サーバ３に保管しておくか否かの指定、画像データＳ０に画像処理を施す際の指示等、種々の情報の入力を行う複数のボタンからなる入力手段１７と、ＧＰＳ衛星からの測位情報すなわちカメラ付き携帯電話１が存在する場所の緯度および経度の情報をＧＰＳ情報Ｇ０として取得するＧＰＳ手段１８と、緯度および経度と場所情報とを対応付けて記憶したデータベースＤＢ１を記憶した保管手段７１と、ＧＰＳ情報Ｇ０に基づいてデータベースＤＢ１を参照してＧＰＳ情報Ｇ０に対応する場所情報を画像データＳ０の撮影場所を表す撮影場所情報Ｐ０として取得する撮影場所情報取得手段１９とを備える。なお、撮影場所情報取得手段１９は、不図示のタイマーに基づいて撮影日時を表す撮影日時情報Ｔ０も取得する。
【００２７】
カメラ付き携帯電話２は、撮影により画像データＳ０を取得するカメラ２１と、画像データＳ０や種々の情報の送受信を行う通信手段２２と、画像データＳ０に対して画像処理を施して処理済み画像データＳ２を得る画像処理手段２３と、画像や電話番号等種々の表示を行う液晶モニタ２４と、カメラ付き携帯電話２の動作を制御するコントローラ２５と、後述するように画像データＳ０の用途および／または画質に基づいて、画像データＳ０に対して画像処理を施す場所を決定して場所情報Ｂ０を生成する画像処理場所決定手段２６と、カメラ２１による撮影の操作、画像データＳ０の送信指示、画像データＳ０の用途および／または画質の入力、画像データＳ０または処理済み画像データＳ２の送信先、プリント出力を行うか否かの指定、画像サーバ３に保管しておくか否かの指定、画像データＳ０に画像処理を施す際の指示等、種々の情報の入力を行う複数のボタンからなる入力手段２７と、ＧＰＳ衛星からの測位情報すなわちカメラ付き携帯電話２が存在する場所の緯度および経度の情報をＧＰＳ情報Ｇ０として取得するＧＰＳ手段２８と、緯度および経度と場所情報とを対応付けて記憶したデータベースＤＢ２を記憶した保管手段７２と、ＧＰＳ情報Ｇ０に基づいてデータベースＤＢ２を参照してＧＰＳ情報Ｇ０に対応する場所情報を画像データＳ０の撮影場所を表す撮影場所情報Ｐ０として取得する撮影場所情報取得手段２９とを備える。なお、撮影場所情報取得手段１９は、不図示のタイマーに基づいて撮影日時を表す撮影日時情報Ｔ０も取得する。
【００２８】
なお、本実施形態においては、カメラ付き携帯電話１において画像データＳ０を取得して画像データＳ０に画像処理を施す画像処理場所を決定し、カメラ付き携帯電話２を画像データＳ０または処理済み画像データＳ１の送信先の１つとして指定するものとする。
【００２９】
画像処理手段１３は、画像データＳ０に対して濃度補正処理、ホワイトバランス調整処理、階調補正処理、色補正処理、シャープネス処理等の画像処理を施して処理済み画像データＳ１を得る。また、後述する撮影場所情報Ｐ０および撮影日時情報Ｔ０を画像データＳ０または処理済み画像データＳ１に付与する。なお、画像処理手段１３は、後述する画像サーバ３やラボ４の画像処理手段ほど高度な画像処理を行うことができないものである。したがって、得られる処理済み画像データＳ１は、液晶モニタ１４のように比較的小さいサイズのモニタに表示するには問題ないが、プリント出力したりパソコンのモニタのような大きいサイズのモニタに表示するには適さないものである。
【００３０】
画像処理場所決定手段１６は、カメラ付き携帯電話１のユーザが入力手段１７から入力した画像データＳ０の用途および／または画質に基づいて、画像データＳ０に対して画像処理を施す場所を決定して、画像処理を施す場所を表す場所情報Ｂ０を生成する。例えば、画像データＳ０の用途が携帯電話のモニタへの表示である旨が入力された場合および／または低画質の旨が入力された場合には、画像データＳ０はそれほど高い画質は要求されないことから、画像処理場所決定手段１６は、画像処理場所をカメラ付き携帯電話１に決定して場所情報Ｂ０を生成する。なお、画像データＳ０をカメラ付き携帯電話２に送信する場合には、画像処理場所をカメラ付き携帯電話２と決定して場所情報Ｂ０を生成してもよい。この場合、画像処理場所の決定は、入力手段１７から入力される画像データＳ０の送信先情報に基づいて行えばよい。
【００３１】
なお、用途および／または画質は入力手段１７から直接入力してもよいが、液晶モニタ１４に種々の用途および／または画質を表示して、ユーザに所望とする用途および／または画質を選択させるようにしてもよい。
【００３２】
また、画像データＳ０の用途が画像サーバ３への保管である場合には、画像データＳ０がパソコン等の端末装置にダウンロードされてモニタに表示されて用いられることから、画像データＳ０にはプリント出力ほどではないが中程度の画質が要求される。したがって、画像データＳ０の用途が画像サーバ３への保管である場合および／または中程度の画質の旨が入力された場合には、画像処理場所決定手段１６は、画像データＳ０には中程度の画質が要求されることから、画像処理場所を画像サーバ３に決定して場所情報Ｂ０を生成する。
【００３３】
さらに、画像データＳ０の用途がプリント出力である場合には、画像データＳ０には高画質が要求される。また、画像データＳ０を高画質にしたい場合はプリント出力を所望する場合が多い。したがって、画像データＳ０の用途がプリント出力である場合および／または高画質の旨が入力された場合には、画像処理場所決定手段１６は、画像データＳ０には高画質が要求されることから、画像処理場所をラボ４に決定して場所情報Ｂ０を生成する。
【００３４】
通信手段１２は、画像データＳ０または処理済み画像データＳ１を、場所情報Ｂ０および画像データＳ０または処理済み画像データＳ１の送信先を表す送信先情報（例えば、ラボ４、カメラ付き携帯電話２、カメラ付き携帯電話１のユーザの友人のメールアドレス等）とともに携帯電話通信網５を介して画像サーバ３へ送信する。なお、画像データＳ０の用途がプリント出力である場合には、プリントの受け取り先を表す受け取り先情報（相手を特定できればよいため、例えば携帯電話の番号等でもよい）も送信される。
【００３５】
ここで、未処理の画像データＳ０が送信されるのは、画像処理場所が画像サーバ３、ラボ４およびカメラ付き携帯電話２に決定された場合である。一方、画像処理場所がカメラ付き携帯電話１に決定された場合には、画像処理手段１３において画像データＳ０に対して画像処理が施されて処理済み画像データＳ１が得られ、これが場所情報Ｂ０（この場合カメラ付き携帯電話１を表す）とともに画像サーバ３へ送信される。
【００３６】
ＧＰＳ手段１８は、ＧＰＳ衛星からの測位用電波を受信し、カメラ付き携帯電話１が存在する場所すなわち撮影場所の測位情報（緯度および経度情報）をＧＰＳ情報Ｇ０として取得する。なお、ＧＰＳ情報Ｇ０の取得は、入力手段１７における撮影動作に連動して行われる。
【００３７】
保管手段７１に保管されたデータベースＤＢ１には、緯度および経度情報と場所情報とが対応付けられている。ここで、場所情報としては、地名、町名、観光地の名称、テーマパークの名称等を用いることができる。
【００３８】
撮影場所情報取得手段１９は、データベースＤＢ１を参照し、ＧＰＳ情報Ｇ０に基づいてＧＰＳ情報Ｇ０により表される緯度および経度に対応する場所情報を、画像データＳ０を撮影した撮影場所情報Ｐ０として取得する。また、同時に撮影日時情報Ｔ０も取得する。
【００３９】
なお、撮影場所情報Ｐ０は画像処理手段１３において、撮影日時情報Ｔ０とともに画像データＳ０または処理済み画像データＳ１に付与される。ここで、撮影場所情報Ｐ０および撮影日時情報Ｔ０は、画像データＳ０または処理済み画像データＳ１により表される画像中に含ませる、あるいは画像データＳ０または処理済み画像データＳ１のタグ情報として記述する等により、画像データＳ０または処理済み画像データＳ１に付与される。
【００４０】
ここで、カメラ付き携帯電話２の通信手段２２、画像処理手段２３、画像処理場所決定手段２６、ＧＰＳ手段２８、撮影場所情報取得手段２９および保管手段７２は、通信手段１２、画像処理手段１３、画像処理場所決定手段１６、ＧＰＳ手段１８、撮影場所情報取得手段１９および保管手段７１と同様の機能を有する。
【００４１】
画像サーバ３は、画像データＳ０等種々の情報の送受信を行う通信手段３１と、画像データＳ０に対して画像処理を施して処理済み画像データＳ３を得る画像処理手段３２と、カメラ付き携帯電話１から送信された画像データＳ０または処理済み画像データＳ１を保管する保管手段３３と、画像データＳ０または処理済み画像データＳ１の保管場所を表すＵＲＬを生成するＵＲＬ生成手段３４と、ＵＲＬ生成手段３４において生成されたＵＲＬが付与された電子メールを作成するメール作成手段３５と、画像サーバ３の動作を制御するコントローラ３６とを備える。
【００４２】
画像処理手段３２は、カメラ付き携帯電話１から画像データＳ０が送信され、かつ場所情報Ｂ０に基づく画像処理場所が画像サーバ３である場合に、画像データＳ０に対して濃度補正処理、ホワイトバランス調整処理、階調補正処理、色補正処理、シャープネス処理等の画像処理を施して処理済み画像データＳ３を得る。また、撮影場所情報Ｐ０および撮影日時情報Ｔ０が画像データＳ０のタグ情報に記述されている場合には、撮影場所情報Ｐ０および撮影日時情報Ｔ０が処理済み画像データＳ３により表される処理済み画像中に含められる。なお、画像処理手段３２において行われる画像処理は、処理済み画像データＳ３をモニタに表示するのに適した画質にする画像処理である。
【００４３】
保管手段３３は、カメラ付き携帯電話１から処理済み画像データＳ１が送信された場合には処理済み画像データＳ１を保管する。また、未処理の画像データＳ０が送信された場合において、場所情報Ｂ０に基づく画像処理場所が画像サーバ３である場合には、画像処理手段３２において得られた処理済み画像データＳ３を保管する。さらに、未処理の画像データＳ０が送信された場合において、場所情報Ｂ０に基づく画像処理場所がカメラ付き携帯電話２またはラボ４である場合には、未処理の画像データＳ０を保管する。
【００４４】
ＵＲＬ生成手段３４は、画像データＳ０、処理済み画像データＳ１または処理済み画像データＳ３の保管場所を表すＵＲＬを生成する。
【００４５】
メール作成手段３５は、画像データＳ０または処理済み画像データＳ１とともに送信された送信先情報に基づいて、ＵＲＬ生成手段３４において生成されたＵＲＬが付与された電子メールを作成する。なお、作成された電子メールは、通信手段３１により送信先情報に基づく送信先に携帯電話通信網５を介して送信される。
【００４６】
ラボ４は、画像データＳ０等種々の情報の送受信を行う通信手段４１と、画像データＳ０に対して画像処理を施して処理済み画像データＳ４を得る画像処理手段４２と、処理済み画像データＳ４をプリント出力してプリントＰを作成するプリンタ４３と、プリントＰが作成された場合にその旨をカメラ付き携帯電話１に通知する通知手段４４と、ラボ４の動作を制御するコントローラ４５とを備える。
【００４７】
ラボ４は、画像サーバ３から送信された電子メールを受信すると、電子メールに付与されたＵＲＬを参照して、通信手段４１において画像サーバ３の保管手段３３から画像データＳ０をダウンロードする。なお、画像データＳ０のダウンロードと同時に、プリントＰの受け取り先を表す受け取り先情報もダウンロードする。
【００４８】
画像処理手段４２は、画像サーバ３の保管手段３３からダウンロードした画像データＳ０に対して、濃度補正処理、ホワイトバランス調整処理、階調補正処理、色補正処理、シャープネス処理等の画像処理を施して処理済み画像データＳ４を得る。また、撮影場所情報Ｐ０および撮影日時情報Ｔ０が画像データＳ０のタグ情報に記述されている場合には、撮影場所情報Ｐ０および撮影日時情報Ｔ０が処理済み画像データＳ４により表される処理済み画像中に含められる。また、この場合、後述するように撮影場所情報Ｐ０および撮影日時情報Ｔ０をプリントＰの裏や縁部に印字してもよい。ここで、ラボ４に電子メールが送信された場合には、ラボ４において画像データＳ０に画像処理を施すことは明らかであるが、場所情報Ｂ０を参照して画像処理場所がラボ４であることを確認することが好ましい。なお、画像処理手段４２において行われる画像処理は、処理済み画像データＳ４をプリント出力するのに適した画質にする画像処理である。
【００４９】
通知手段４４は、処理済み画像データＳ４のプリント出力が完了すると、受け取り先情報に基づく受け取り先に、プリント出力が完了した旨の通知を行う。通知は電子メールであっても電話の自動音声によるものであってもよい。なお、ラボ４のオペレータが受け取り先に電話をかけたり、マニュアル操作により電子メールを送信することによって、通知を行ってもよい。
【００５０】
なお、画像サーバ３からカメラ付き携帯電話２に電子メールが送信された場合には、カメラ付き携帯電話２のユーザは、ＵＲＬを参照して画像サーバ３の保管手段３３にアクセスして画像データＳ０または処理済み画像データＳ１をダウンロードする。なお、処理済み画像データＳ１をダウンロードした場合には、処理済み画像データＳ１がそのまま液晶モニタ２４に表示される。一方、画像データＳ０をダウンロードした場合には、画像処理手段２３において画像データＳ０に対して画像処理が施されて処理済み画像データＳ２が得られ、これが液晶モニタ２４に表示される。
【００５１】
なお、カメラ付き携帯電話２に未処理の画像データＳ０の保管場所を表すＵＲＬが付与された電子メールが送信された場合には、カメラ付き携帯電話２において画像データＳ０に画像処理を施すことは明らかであるが、場所情報Ｂ０を参照して画像処理場所がカメラ付き携帯電話２であることを確認することが好ましい。
【００５２】
ここで、画像処理手段において行われる処理について説明する。図２はカメラ付き携帯電話１の画像処理手段１３において行われる処理を示す概略ブロック図である。図２に示すように、画像処理手段１３においては、画像データＳ０はＪＰＥＧ形式等により圧縮されていることから、まず画像データＳ０が解凍され、次いで、画像データＳ０が縮小される。そして、縮小された画像データＳ０および画像データＳ０のタグ情報に付与された撮影時の撮影条件等に基づいて、画像データＳ０に対して画像処理を施す際の画像処理条件Ｊが算出される。
【００５３】
そして、算出された画像処理条件Ｊに基づいて、濃度補正処理、ホワイトバランス調整処理、階調補正処理、色補正処理、およびシャープネス処理が行われ、処理済み画像データＳ１が得られる。さらに、撮影場所情報Ｐ０および撮影日時情報Ｔ０が処理済み画像データＳ１に付与される。なお、画像処理条件Ｊに基づく処理ではないが、シャープネス処理の前に画像データＳ０により表される画像のサイズを出力サイズ（プリントサイズ、モニタサイズ等）に合わせるための拡大処理が行われる。ここで、拡大処理には１未満の倍率の拡大処理も含まれる。
【００５４】
ここで、濃度補正処理およびホワイトバランス調整処理は、撮影時の露出エラーおよびホワイトバランスエラーを補正し、階調補正処理は、撮影時のシーンとプリントとのコントラストの相違を吸収し、色補正処理は、ＲＧＢ各色の色相、彩度、明度を補正し、シャープネス処理は画像の鮮鋭度を補正する。
【００５５】
なお、画像データＳ０に対して画像処理を施さない場合には、画像データＳ０に対して撮影場所情報Ｐ０および撮影日時情報Ｔ０が付与される。
【００５６】
図３は、撮影場所情報Ｐ０および撮影日時情報Ｔ０が付与された画像データＳ０または処理済み画像データＳ１をカメラ付き携帯電話１の液晶モニタ１４に表示した状態を示す図である。なお、ここでは画像データＳ０または処理済み画像データＳ１中に撮影場所情報Ｐ０および撮影日時情報Ｔ０を含ませた場合の画像を示す。図３に示すように、液晶モニタ１４に表示された画像の下部には、撮影場所および撮影日時を表す「横浜　４／１０／０２　１０：００」が含まれる。なお、撮影場所および撮影日時を画像に隣接させて表示してもよい。
【００５７】
図４は、撮影場所情報Ｐ０および撮影日時情報Ｔ０が付与された画像データＳ０または処理済み画像データＳ１をプリント出力することにより得られたプリントＰを示す図である。図４（ａ）に示すように、プリントＰには画像中に撮影場所および撮影日時を表す「横浜　４／１０／０２　１０：００」が含まれる。なお、撮影場所情報Ｐ０および撮影日時情報Ｔ０が画像データＳ０のタグ情報に記述されている場合には、図４（ｂ）に示すようにプリントＰの裏面に、撮影場所および撮影日時を印字してもよく、図４（ｃ）に示すように、フチ有りプリントの場合にはプリントの縁部に撮影場所および撮影日時を印字してもよい。
【００５８】
なお、カメラ付き携帯電話２の画像処理手段２３、画像サーバ３の画像処理手段３２およびラボ４の画像処理手段４２においても同様に画像処理が行われる。
【００５９】
ここで、カメラ付き携帯電話１，２および画像サーバ３においては、送信容量の制限や表示媒体の表示色の制限があることから、図２においてシャープネス処理後に、容量を低減するための圧縮処理や色数を低減するための減色処理が行われて処理済み画像データＳ１，Ｓ２、補正処理済み画像データＳ１′または処理済み画像データＳ３が得られる。なお、カメラ付き携帯電話１，２の液晶モニタ１４，２４の色再現域は、パソコン等のモニタの色再現域よりも狭いため、狭い色再現域を有効に活用するように減色処理が行われる。
【００６０】
また、カメラ付き携帯電話１，２の画像処理手段１３，２３においては、画像サーバ３の画像処理手段３２またはラボ４の画像処理手段４２と比較して簡易な演算により画像データＳ０に対して画像処理が施される。さらに、色補正処理およびシャープネス処理が省略される場合もある。
【００６１】
一方、ラボ４の画像処理手段４２においては、図２のシャープネス処理後の破線に示すように、シャープネス処理後の画像データをプリンタ４３のデバイス信号に変換するプリント出力処理がさらに行われて、処理済み画像データＳ４が得られる。
【００６２】
次いで、本実施形態の動作について説明する。図５はカメラ付き携帯電話１において行われる処理を示すフローチャートである。まず、カメラ１１により撮影が行われて画像データＳ０が取得される（ステップＳ１）。一方、入力手段１７において、カメラ付き携帯電話１のユーザによる画像データＳ０の用途および／または画質の入力が受け付けられ（ステップＳ２）、入力された用途および／または画質に基づいて、画像処理場所決定手段１６において画像データＳ０に画像処理を施す画像処理場所が決定されて場所情報Ｂ０が生成される（ステップＳ３）。
【００６３】
そして、コントローラ１５により、場所情報Ｂ０が参照されて画像処理場所がカメラ付き携帯電話１であるか否かが判定される（ステップＳ４）。ステップＳ４が肯定された場合には、画像処理手段１３において画像データＳ０に対して画像処理が施されて処理済み画像データＳ１が得られ（ステップＳ５）、ステップＳ８に進む。ステップＳ４が否定された場合にもステップＳ８に進む。
【００６４】
その一方で、ＧＰＳ手段１８によりＧＰＳ情報Ｇ０が取得され（ステップＳ６）、保管手段７１に保管されたデータベースＤＢ１が参照されて、ＧＰＳ情報Ｇ０に基づいて撮影場所情報Ｐ０が取得される（ステップＳ７）。撮影場所情報Ｐ０は撮影日時情報Ｔ０とともに画像データＳ０または処理済み画像データＳ１に付与される（ステップＳ８）。この状態で画像データＳ０または処理済み画像データＳ１を液晶モニタ１４に表示すると、表示された画像は、図３に示すように撮影場所および撮影日時が含まれたものとなっている。
【００６５】
次いで、ステップＳ９においては、ユーザによる送信指示がなされたか否かの監視が開始され、ステップＳ９が肯定されると、画像データＳ０または処理済み画像データＳ１が場所情報Ｂ０、送信先情報およびプリント出力を依頼する場合にはプリントＰの受け取り先情報とともに画像サーバ３に送信され（ステップＳ１０）、処理を終了する。
【００６６】
図６は画像サーバ３において行われる処理を示すフローチャートである。まず、カメラ付き携帯電話１から送信された画像データＳ０または処理済み画像データＳ１が受信され（ステップＳ１１）、画像データＳ０または処理済み画像データＳ１に付与された場所情報Ｂ０に基づいて、画像データＳ０に対する画像処理場所が判定される（ステップＳ１２）。
【００６７】
画像処理場所がカメラ付き携帯電話１であると判定された場合には、処理済み画像データＳ１が送信されていることから、処理済み画像データＳ１を保管手段３３に保管する（ステップＳ１３）。画像処理場所が、カメラ付き携帯電話２またはラボ４であると判定された場合には、未処理の画像データＳ０を保管手段３３に保管する（ステップＳ１４）。画像処理場所が画像サーバ３であると判定された場合には、画像処理手段３２において画像データＳ０に対して画像処理が施されて処理済み画像データＳ３が得られ（ステップＳ１５）、処理済み画像データＳ３が保管手段３３に保管される（ステップＳ１６）。
【００６８】
画像データＳ０または処理済み画像データＳ１，Ｓ３が保管されると、ＵＲＬ生成手段３４において、画像データＳ０または処理済み画像データＳ１，Ｓ３の保管場所を表すＵＲＬが生成される（ステップＳ１７）。そして、メール作成手段３５においてＵＲＬが付与された電子メールが作成され（ステップＳ１８）、画像データＳ０または処理済み画像データＳ１とともに送信された送信先情報に応じた送信先に電子メールが送信され（ステップＳ１９）、処理を終了する。
【００６９】
なお、電子メールの送信先がカメラ付き携帯電話２である場合には、電子メールに付与されたＵＲＬが画像データＳ０のものであるか、処理済み画像データＳ１のものであるかが電子メールに記述される。
【００７０】
図７はラボ４において行われる処理を示すフローチャートである。まず、画像サーバ３から送信された電子メールが受信される（ステップＳ２１）。次いで、通信手段４１が電子メールに付与されたＵＲＬにアクセスして（ステップＳ２２）、画像データＳ０がダウンロードされる（ステップＳ２３）。そして、画像処理手段４２において画像データＳ０に対して画像処理が施されて処理済み画像データＳ４が得られる（ステップＳ２４）。処理済み画像データＳ４はプリンタ４３においてプリント出力されてプリントＰが得られる（ステップＳ２５）。プリント出力が完了すると、通知手段４４によりプリントＰの受け取り先にプリント出力が完了した旨の通知がなされ（ステップＳ２６）、処理を終了する。
【００７１】
なお、プリントＰには、図４（ａ）〜（ｃ）に示すように、画像中、裏面あるいは縁部に撮影場所および撮影日時が付与または印字される。
【００７２】
なお、プリントＰは、通知を受けた受け取り先（例えばカメラ付き携帯電話１）のユーザがラボ４に出向いて受け取るか、ラボ４からユーザに配送される。
【００７３】
図８はカメラ付き携帯電話２において行われる処理を示すフローチャートである。まず、画像サーバ３から送信された電子メールが受信される（ステップＳ３１）。次いで、通信手段４１が電子メールに付与されたＵＲＬにアクセスして（ステップＳ３２）、画像データＳ０または処理済み画像データＳ１がダウンロードされる（ステップＳ３３）。
【００７４】
そして、電子メールの記述に基づいて、ダウンロードされた画像データが未処理の画像データＳ０か否かが判定され（ステップＳ３４）、ステップＳ３４が肯定されると、未処理の画像データＳ０がダウンロードされたことから、画像処理手段２３において画像データＳ０に対して画像処理が施されて処理済み画像データＳ２が得られる（ステップＳ３５）。処理済み画像データＳ２は液晶モニタ２４に表示され（ステップＳ３６）、処理を終了する。
【００７５】
一方、ステップＳ３４が否定されると、処理済み画像データＳ１がダウンロードされたことから、処理済み画像データＳ１が液晶モニタ２４に表示され（ステップＳ３６）、処理を終了する。
【００７６】
液晶モニタ２４には、図３に示すように撮影場所および撮影日時が付与された画像が表示される。
【００７７】
このように、本実施形態においては、画像データＳ０の撮影場所を表す撮影場所情報Ｐ０および撮影日時情報Ｔ０を取得し、撮影場所情報Ｐ０および撮影日時情報Ｔ０を画像に付与して再生するようにしたため、再生された画像を参照すれば画像データの撮影場所および撮影日時を直ちに認識することができる。
【００７８】
また、ＧＰＳ情報Ｇ０を取得し、ＧＰＳ情報Ｇ０と場所情報とを対応付けたデータベースＤＢ１を参照してＧＰＳ情報Ｇ０に対応する場所情報を取得するようにすれば、撮影場所情報Ｐ０を簡易に取得することができる。
【００７９】
なお、上記実施形態においては、ＧＰＳ情報Ｇ０と場所情報とを対応付けたデータベースＤＢ１，ＤＢ２を参照して撮影場所情報Ｐ０を得ているが、撮影場所情報Ｐ０を電子地図に基づく地図情報として画像データＳ０または処理済み画像データＳ１に付与すれば、画像データＳ０または処理済み画像データを再生した際に、図９に示すように画像とともに撮影場所の地図を再生することができる。なお、図９においては撮影場所を地図上の☆印で示している。このように、撮影場所情報Ｐ０を撮影場所の地図情報とすることにより、撮影場所をより容易に認識できる。
【００８０】
また、上記実施形態において、カメラ付き携帯電話１において、ＧＰＳ情報Ｇ０のみを取得してこれを画像データＳ０または処理済み画像データＳ１のタグ情報に記述して画像サーバ３に送信し、画像サーバ３においてＧＰＳ情報Ｇ０に基づいて、撮影場所情報Ｐ０を画像データＳ０または処理済み画像データＳ１に付与してもよい。この場合、カメラ付き携帯電話１，２は、図１０に示すように撮影場所情報取得手段１９，２９および保管手段７１，７２を省略してもよい。一方、画像サーバ３は、保管手段３３にデータベースＤＢ１を保管し、さらに画像データＳ０または処理済み画像データＳ１のタグ情報に記述されたＧＰＳ情報Ｇ０に基づいてデータベースＤＢ１を参照して撮影場所情報Ｐ０を取得する撮影場所情報取得手段３７を備えるものとすればよい。
【図面の簡単な説明】
【図１】本発明の実施形態による画像再生装置を備えた画像処理システムの構成を示す概略ブロック図
【図２】画像処理手段において行われる処理を示す概略ブロック図
【図３】撮影場所情報および撮影日時情報が付与された画像データをカメラ付き携帯電話に再生した状態を示す図
【図４】撮影場所情報および撮影日時情報が付与された画像データのプリントを示す図
【図５】カメラ付き携帯電話１において行われる処理を示すフローチャート
【図６】画像サーバにおいて行われる処理を示すフローチャート
【図７】ラボにおいて行われる処理を示すフローチャート
【図８】カメラ付き携帯電話２において行われる処理を示すフローチャート
【図９】撮影場所情報を地図情報とした場合に画像を表示した状態を示す図
【図１０】本発明の他の実施形態による画像再生装置を備えた画像処理システムの構成を示す概略ブロック図
【符号の説明】
１，２　　カメラ付き携帯電話
３　　画像サーバ
４　　ラボ
５　　携帯電話通信網
１１，２１　　カメラ
１２，２２，３１，４１　　通信手段
１３，２３，３２，４２　　画像処理手段
１４，２４　　液晶モニタ
１５，２５，３６，４５　　コントローラ
１６，２６　　画像処理場所決定手段
１７，２７　　入力手段
１８，２８　　ＧＰＳ手段
１９，２９，３７　　撮影場所情報取得手段
３３　　保管手段
３４　　ＵＲＬ生成手段
３５　　メール作成手段
４３　　プリンタ
４４　　通知手段
【図１】
2004032373.tif 000003
【図２】
2004032373.tif 000004
【図３】
2004032373.tif 000005
【図４】
2004032373.tif 000006
【図５】
2004032373.tif 000007
【図６】
2004032373.tif 000008
【図７】
2004032373.tif 000009
【図８】
2004032373.tif 000010
【図９】
2004032373.tif 000011
【図１０】
2004032373.tif 000012